(57)【特許請求の範囲】
【請求項１】
クランプ本体の底に摺動自在に載置されたスライドナットに対し、上記底に形成された長孔を介して吊りボルトを螺合することによって、当該長孔に沿って吊りボルトの垂下位置が調整可能なビームクランプにおいて、上記長孔よりも幅広な抜け止め部に掛止部を一体的に成形してなるスライドナットの脱落防止片を備え、当該脱落防止片は上記長孔を介してビームクランプの外側からスライドナットに掛止したことを特徴とするビームクランプ。
【請求項２】
抜け止め部は、中心に吊りボルトの挿通孔を形成した環状板である請求項１記載のビームクランプ。
【請求項３】
クランプ本体の底は、両側壁それぞれの下端を折曲して重ねた二重構造である請求項１または２記載のビームクランプ。
【発明の詳細な説明】
【０００１】
【発明の属する技術分野】
本発明は、スライドナットにより吊りボルトの垂下位置が調整できるビームクランプにおいて、上記スライドナットの脱落を防止する構造の改良に関するものである。
【０００２】
【従来の技術】
従来から、Ｈ形鋼等に重量物を吊下するための吊り金具の一種として、図７に示されるビームクランプが公知である。即ち、当該ビームクランプは、金属板を略ロ字状に折曲し、その両側壁１ａそれぞれに開口部１ｂを形成すると共に、底１ｃに長孔１ｄを形成してクランプ本体１とし、上記長孔１ｄを介して吊りボルト３を下方からスライドナット２に螺合することにより、上記長孔１ｄに沿って吊りボルト３の垂下位置を調整できる構造を備えたものである。
【０００３】
その取り付けにあっては、先ず、開口部１ｂを形鋼のフランジＦに差し込み、上方から締め付けボルト４を螺合することによって、締め付けボルト４と開口部１ｂからせり出した受け部１ｆとで上記フランジＦを挟持することによりクランプ本体１が固定される。次いで、長孔１ｄに沿ってスライドナット２と共に吊りボルト３の位置調整を行った後、当該吊りボルト３に螺合された固定ナット８と上記スライドナット２とのダブルナット構造により、スライドナット２及び吊りボルト３を確実に固定する。
【０００４】
ところで、上記ビームクランプにおいて、スライドナット２は吊りボルト３を螺合する前はフリーの状態にあるため、取付時の作業性を考慮すれば、クランプ本体１からスライドナット２が不用意に脱落しない構造が必要となる。こうした観点に基づき、従来は、図８に示されるような、スライドナット２の脱落防止構造が採用されていた。即ち、同図（Ａ）に示される従来例は、クランプ本体１の底１ｃに蓋体１０を固着して摺動空間Ｋを形成し、当該摺動空間Ｋにスライドナット２を収納したものである。一方、図７（Ｂ）に示される従来例は、クランプ本体１の両側壁１ａ・１ａの一部を内側に凹ませて長手方向のガイド１１を形成すると共に、両側壁１ａ・１ａの前後端をカシメてストッパー１２を形成したものである。
【０００５】
【発明が解決しようとする課題】
しかし、上記従来の脱落防止構造において、前者構造では、蓋体１０を底１ｃに固着するためにポイント溶接を行う必要があり、また蓋体１０の固着はスライドナット２を収容した状態で行わなければならないため、その固着作業が面倒であり、コストが嵩むという課題があった。一方、後者構造では、蓋体１０を不要とした分だけ部品数が減るものの、ガイド１１およびストッパー１２を形成する分だけビームクランプの製造工程が増す上、その成形にあっては相当な厚みの金属板を加工しなければならず、特殊な成型装置が必要となるため、コストの根本的な改善は図られていないのが実状である。
【０００６】
また、スライドナット２は吊りボルト３の径に応じて選択する必要があるが、前者構造では蓋体１０を取り外しできないし、後者構造ではストッパー１２を曲げ直すことが困難であるため、何れの脱落防止構造であっても、一旦成型した後は、スライドナット２を交換できないという課題があった。
【０００７】
さらに、吊りボルト３を確実に固定する場合には、スライドナット２と共に固定ナット８を用いてダブルナット構造とすることが好ましいが、この場合、固定ナットの締着を良好にし、且つ、緩みを防止するために、ワッシャを別途用意する必要がある。しかし、ワッシャの分だけ、部品数が増す上、吊りボルトの固定作業そのものが煩雑となる。この点、従来技術では何ら解決手段が講じられていなかったのである。
【０００８】
本発明は上述した従来技術の課題を解決するためになされたもので、その目的は、成形が簡単で、コスト低減に寄与しうるスライドナットの脱落防止構造を備えたビームクランプを提供することである。また、スライドナットの脱落防止構造にワッシャ機能を併有させることにより、別体のワッシャを不要として、吊りボルトの固定作業を簡易に行える構造を開示することも目的の一つである。
【０００９】
【課題を解決するための手段】
上記目的を達成するために本発明では、先ず、フランジ等が挟持可能な開口部を形成した両側壁に、長孔を形成した底を設けてクランプ本体とし、当該底に摺動自在に載置されたスライドナットに対し、上記長孔を介し吊りボルトを下方から螺合することにより、上記長孔に沿って吊りボルトの垂下位置を調整できる構成のビームクランプを前提とする。そして、当該構成において、請求項１に係る発明では、上記長孔よりも幅広な抜け止め部に掛止部を一体的に成形してなるスライドナットの脱落防止片を備え、上記抜け止め部がクランプ本体の底の下側に位置するように上記掛止部を上記長孔を介してスライドナットに掛止することにより、上記脱落防止片を上記長孔を介してビームクランプの下方外側からスライドナットに掛止するという手段を用いた。ここで、上記「長孔よりも幅広」における長孔の幅とは、長手方向と直交関係にある長さをいう。
【００１０】
当該手段によれば、上記脱落防止片はスライドナットに一体的に取り付けられるため、長孔の形成範囲内でスライドナットと共に摺動する。そして、長孔の形成範囲を超えるスライドナットの前後への移動は、掛止部が長孔の終端と当接することで規制されると共に、スライドナットの上方への移動は掛止部の先端によりスライドナットの上縁を押さえつつ、抜け止め部が底と当接することで規制されるため、スライドナットの不用意な脱落を防止することができるのである。
【００１１】
なお、「長孔よりも幅広な抜け止め部」は、底と当接してスライドナットの上方への脱落防止することを主たる機能とするため、長孔を通過できない構造であれば、特に形状を限定するものではない。即ち、例えば四角形等の多角形や円形はもちろんのこと、その他、長孔よりも幅狭な部材を主体とする場合であっても、その周縁から例えば舌片を延成した十文字形など、底と当接可能な構造のものは、本発明の技術的思想に含まれるのである。また「掛止部」は、長孔の長手方向を抜け止め部の前後とした場合に、抜け止め部の前後の何れか一方から一つのみを延成した構造、及び、抜け止め部の前後それぞれから二つを延成した構造の何れをも含むものであって、さらに後者であれば、少なくとも何れか一方の掛止部の先端をスライドナットの上縁に掛止する構造も本発明の技術手段に含まれるのである。
【００１２】
請求項２に係る発明では上記手段において、抜け止め部は中心に吊りボルトの挿通孔を形成した環状板とするという手段を選択的に用いた。当該手段では、上述したスライドナットの脱落防止機能に加えて、吊りボルトを、スライドナットと固定ナットとによって、いわゆるダブルナットにより固定する場合に、上記環状板がワッシャとして機能してダブルナットの締着を良好にする。
【００１３】
請求項３に係る発明では、上述した何れかの手段において、両側壁それぞれの下端部を折曲して重ねることにより、クランプ本体の底を二重構造とする手段を選択的に用いた。当該手段によれば、底は金属板等を重ね合わせた二重構造となるため、上述したダブルナットによる固定時にはバネ性を発揮する。特に若干の隙間を設けた二重構造とすることでバネ性が高まる。従って、当該底はバネワッシャとして機能し、ダブルナットの緩み止め作用が得られる。また、請求項２のように抜け止め部を環状板で構成した場合には、当該環状板による締着機能と同時に、底によるバネワッシャー機能が得られるため、ダブルワッシャを構成することができるのである。
【００１４】
【発明の実施の形態】
本発明の好ましい実施の形態を添付した図面に従って説明する。図１は、本発明の第一実施形態に係るビームクランプの斜視図である。なお、本発明におけるビームクランプにおいても、金属板等をロ字状に折曲成型した上で、両側壁１ａそれぞれに開口部１ｂを、底１ｃには長孔１ｄを形成してクランプ本体１とし、当該クランプ本体１の底１ｃ上にスライドナット２を摺動自在に載置すると共に、さらに当該スライドナット２に上記長孔１ｄを介して下方から吊りボルト３を螺合することを基本構成としており、締め付けボルト４によってクランプ本体１をフランジ等に固定でき、この状態で上記長孔１ｄに沿って吊りボルト３の垂下位置が調整できることは、図７に示した従来ビームクランプと同様である。
【００１５】
そこで、本発明におけるスライドナットの脱落防止構造を以下に詳述すると、図１において５はスライドナット２とほぼ同径の環状板からなる脱落防止片の抜け止め部であって、その中心には吊りボルト３の挿通孔５ａが形成されている。又、６は上記抜け止め部５の前後（長孔１ｄの長手方向に相当）から延成された掛止部であって、長孔１ｄを介して上方に折曲されると共に、その先端６ａはスライドナット２の上縁２ａに掛止されている。ここで、抜け止め部５と掛止部６とは、図２に示されるように、一枚物として一体的に成形されており、折曲部Ｓ１で掛止部６を上方に折曲すると共に、折曲部Ｓ２で掛止部６の先端６ａ・６ａを内側に折曲することにより、本発明の脱落防止片を構成するものである。
【００１６】
当該脱落防止片の取り付けにあっては、図３に示されるように、抜け止め部５を挿通孔５ａとスライドナット２のナット孔と連通させつつ、クランプ本体１の底１ｃの下側に配置し（同図（Ａ）参照）、この状態で掛止部６を長孔１ｄを介して上方に折曲し（同図（Ｂ）参照）、さらに掛止部６の先端６ａを内側に折曲してスライドナット２の上縁に掛止（同図（Ｃ）参照）して行われる。つまり、抜け止め部５は掛止部６により底１ｃの下側に吊持されるのである。ここで、抜け止め部５は、スライドナット２の摺動を妨げないように底１ｃと若干の隙間を持って配置されることが好ましいが、底１ｃと当接させることであってもよく、何れとするかは掛止部６の長さを調整することによって可能である。また、掛止部６は、脱落防止片の成形当初から上方に延成しておくことも可能であり、この場合、上記取付工程から図３（Ｂ）に示した折曲工程を省略できるので、脱落防止片の取付作業性の面から好ましい構成である。
【００１７】
上述のように取り付けられた脱落防止片によれば、図４に示されるように、当該脱落防止片はスライドナット２に一体となって、長孔１ｄに沿って摺動自在となる。そして、スライドナット２をクランプ本体１の底１ｃを介して抜け止め部５と掛止部６の先端６ａとで挟持するため、スライドナット２の上方への移動は掛止部６の先端６ａがスライドナット２の上縁２ａを押さえつつ、抜け止め部５がクランプ本体１の底１ｃと当接することにより規制される。また、長孔１ｄの形成範囲を越えるスライドナット２の前後の移動は、掛止部６・６が長孔１ｄの終端で当接することにより規制される。従って、スライドナット２の不用意な脱落が防止されるのである。ここで、吊りボルト３は、脱落防止片を取り付けた後に、挿通孔５ａから長孔１ｄを介してスライドナット２に螺合することで、長孔１ｄに沿って垂下位置の調整ができることはもちろんである。
【００１８】
また、上記実施形態において、吊りボルト３を、スライドナット２と固定ナット８との両者を用いて固定する（図１参照）、いわゆるダブルナット構造とした場合にあっては、環状板の抜け止め部５がワッシャとして機能するので、固定ナット８を確実に締着させることができる。
【００１９】
図５は、他の実施形態を示したもので、クランプ本体１を成型するにあたり、両側壁１ａの下端それぞれを内側に折曲して重ねることにより、底１ｃを二重構造としたものである。当該構成によれば、二重構造の底１ｃは上述したダブルナットによる締結時にバネ性を発揮し、ダブルナットの緩み止め作用を行う。つまり、バネワッシャと同様の作用が得られるのである。従って、当該構成による二重構造の底１ｃと、上記抜け止め部５とにより、ダブルワッシャを構成することができるのである。この場合、底１ｃを隙間があいた二重構造とすることで、よりバネ性が高まり、緩み止め作用を向上させることができる。
【００２０】
尚、本発明において脱落防止片の抜け止め部５は、上述した環状板に限らず、例えば、図６に示されるように四角板（同図（Ａ）参照）や十文字（同図（Ｂ）参照）等、長孔１ｄよりも幅広な部分を形成することで、クランプ本体１の底１ｃと当接可能な構造であれば、任意の形状のものを採用できるものである。
【００２１】
また、掛止部６についても、抜け止め部５の前後の少なくとも一方に延成すればよく、さらに抜け止め部５の前後に２枚の掛止部６を延成した場合には、何れか一方の先端６ａのみを折曲してスライドナット２の上縁に掛止することでよく、これら何れの構造であっても、スライドナット２の脱落を有効に防止することができ、本発明の目的は達成される。
【００２２】
【発明の効果】
以上説明したように本発明によれば、クランプ本体の底と当接可能な抜け止め部とスライドナットの上縁に掛止可能な掛止部を一体的に成形して脱落防止片を構成したため、成形がいたって簡易である上、従来のように溶着手段を一切必要としないばかりか、相当厚みのクランプ本体を変形加工する必要がないので、コストの低減を図ることができる。又、その取り付けにあっては、掛止部をスライドナットに掛止するように折曲するのみであるので、脱落防止片をステンレス等の比較的軟質の金属により成型した場合には、現場での取付作業を極めて簡単に行うことができる。更に、折曲した掛止部の形状復元も容易であるため、スライドナットを吊りボルトの径に合わせて、適宜交換できるという利点がある。
【００２３】
また、請求項２に係る発明では抜け止め部を環状板により構成するという手段を用いたので、スライドナットの脱落防止機能と共に、吊りボルトをダブルナットにより固定する際には上記環状板によるワッシャ機能が同時に得られる。従って、別途ワッシャを用意する必要がないので、部品数の減少に伴って、吊りボルトの取付作業をさらに簡易なものとすることができる。
【００２４】
更に、請求項３に係る発明では、二重構造の底を採用したので、当該底のバネ性によってダブルナットの緩み止め効果が得られると同時に、環状板の抜け止め部を併用することによって、通常のワッシャとバネワッシャの双方によるダブルワッシャ機能が得られ、従来のようにこれらワッシャを別途用意することなく、吊りボルトを確実に固定することができる。
【図面の簡単な説明】
【図１】本発明の第一実施形態に係るビームクランプを示した一部切欠斜視図
【図２】同実施形態における脱落防止片の平面図
【図３】同脱落防止片の取付手順を示した工程図
【図４】同実施形態に係るビームクランプを示した一部切欠側面図
【図５】本発明の他の実施形態に係るビームクランプを示した正面図
【図６】他の形態における抜け止め部を示した平面図
【図７】従来のビームクランプを示した斜視図
【図８】従来技術におけるスライドナットの脱落防止構造を示した説明図
【符号の説明】
１      クランプ本体
１ｄ    長孔
２      スライドナット
３      吊りボルト
５      脱落防止片の抜け止め部
６      脱落防止片の掛止部
【図１】
0003774754.tif 000002
【図２】
0003774754.tif 000003
【図３】
0003774754.tif 000004
【図４】
0003774754.tif 000005
【図５】
0003774754.tif 000006
【図６】
0003774754.tif 000007
【図７】
0003774754.tif 000008
【図８】
0003774754.tif 000009